(57)【要約】【課題】  指定された綴じ代位置に綴じ代を配置し、綴じ代が配置された側を断裁辺とするよう用紙に印刷する。【解決手段】  スキャナ４から入力された原稿を入力画像データとし、画像メモリ６に記憶しておく。制御部１は入力画像データを印刷用紙に印刷した際の綴じ代位置を示す応答データを受信する。画像処理部９は全ての入力画像データに対し、応答データに従い綴じ代を配置する画像処理を施す。制御部１は応答データの指示する綴じ代位置に基づいて、奇数または偶数ページの画像データのどちらか一方を、印刷用紙面を回転面として180度回転し、上下を逆向きにする画像処理を施す。次に印刷処理部７が、入力画像データを2画像ずつ印刷用紙の片面に印刷する。【選択図】    図２
2006068922.tif 000002
【特許請求の範囲】
【請求項１】
入力された複数のページ単位の画像データを記憶手段に格納するデータ書き込み手段と、
前記画像データの入力された方向に対してどの位置に綴じ代を設けるかを示す綴じ代位置指示データを入力し、当該入力される綴じ代位置指示データに従って綴じ代を設ける画像処理を施す綴じ代作成手段と、
前記入力される前記綴じ代位置指示データに基づいて、所定のページの前記画像データを読み出し、画像処理を施す画像変換手段と、
前記画像変換手段によって生成された前記画像データを、ページの昇順に前記記憶手段から読み出し用紙に印刷を行う画像印刷手段と、
を具備することを特徴とする画像形成装置。
【請求項２】
前記画像変換手段は、ユーザによって入力された前記綴じ代位置指示データに従って、前記画像データの１ページおきに、画像データを印刷した時の用紙面を回転面として画像の上下を逆向きにするよう回転させる画像処理を施すことを特徴とする請求項１に記載の画像形成装置。
【請求項３】
入力された複数のページ単位の画像データを記憶手段に格納し、
前記画像データの入力された方向に対してどの位置に綴じ代を設けるかを示す綴じ代位置指示データを入力し、当該入力される綴じ代位置指示データに従って綴じ代を設ける画像処理を施し、
前記入力される前記綴じ代位置指示データに基づいて、所定のページの前記画像データを読み出し、画像処理を施し、
前記画像変換手段によって生成された前記画像データを、ページの昇順に前記記憶手段から読み出し用紙に印刷を行うことを特徴とする画像形成方法。
【発明の詳細な説明】
【技術分野】
【０００１】
本発明は、複写機、プリンタおよびこれらの機能を有する複合機等の画像形成装置に関する。
【背景技術】
【０００２】
従来から、複写機やプリンタなどの画像形成装置において、印刷効率の向上を目的として、原稿２ページ分のサイズの印刷用紙１枚に、原稿２ページを印刷し、印刷済み用紙の中心線に沿って断裁して使用することが一般的となっている。印刷済み用紙を用紙の中心線に沿って断裁して重ね、製本処理する場合に、用紙に綴じ穴または綴じ代を取る方法について、特許文献１の方法が公開されている。また特許文献2では、製本処理を行わない装置において、印刷済み用紙を断裁順に重ねていけばページの昇順に重ねることのできる画像形成方法が公開されている。
【特許文献１】特開2002−68577号公報
【特許文献２】特開2002−281278号公報
【発明の開示】
【発明が解決しようとする課題】
【０００３】
しかしながら、特許文献１の発明である画像形成方法では、図5に示すように、印刷した用紙の綴じ代または綴じ穴位置がページごとに異なるため、用紙を断裁し重ねて使用すると、印刷画像が用紙の表面と裏面にばらばらに印刷された形状になるという問題があった。また特許文献２の発明である画像形成方法では、図6に示すように綴じ代を用紙内に配置していないという問題があった。また特許文献２の発明に綴じ代の配置を加え印刷する場合、用紙の中心線に沿って断裁した用紙の断裁辺が右側もしくは左側に出現するため、ページごとに異なるという問題があった（図７）。
この発明は、上記の点に鑑みてなされたもので、指定された綴じ代位置に綴じ代を配置し、綴じ代が配置された側を断裁辺とするよう用紙に印刷する画像形成装置および画像形成方法を提供することを目的とする。
【課題を解決するための手段】
【０００４】
上記の課題を解決するために、請求項１の発明は入力された複数のページ単位の画像データを記憶手段に格納するデータ書き込み手段と、前記画像データの入力された方向に対してどの位置に綴じ代を設けるかを示す綴じ代位置指示データを入力し、当該入力される綴じ代位置指示データに従って綴じ代を設ける画像処理を施す綴じ代作成手段と、前記入力される前記綴じ代位置指示データに基づいて、所定のページの前記画像データを読み出し、画像処理を施す画像変換手段と、前記画像変換手段によって生成された前記画像データを、ページの昇順に前記記憶手段から読み出し用紙に印刷を行う画像印刷手段とを具備することを特徴とする画像形成装置である。
【０００５】
請求項２の発明は、請求項１の発明において、前記画像変換手段は、ユーザによって入力された前記綴じ代位置指示データに従って、前記画像データの１ページおきに、画像データを印刷した時の用紙面を回転面として画像の上下が逆向きになるよう回転する画像処理を施すことを特徴とする。
【０００６】
請求項３の発明は、入力された複数のページ単位の画像データを記憶手段に格納し、前記画像データの入力された方向に対してどの位置に綴じ代を設けるかを示す綴じ代位置指示データを入力し、当該入力される綴じ代位置指示データに従って綴じ代を設ける画像処理を施し、前記入力される前記綴じ代位置指示データに基づいて、所定のページの前記画像データを読み出し、画像処理を施し、前記画像変換手段によって生成された前記画像データを、ページの昇順に前記記憶手段から読み出し用紙に印刷を行うことを特徴とする画像形成方法である。
【発明の効果】
【０００７】
請求項1および３に記載の発明によれば、画像形成装置にスキャナ等で入力する原稿画像に、ユーザが設定した綴じ代配置位置に従った綴じ代が配置され、且つページ単位で画像処理を施した印刷を行うことが可能となる。
【０００８】
請求項２に記載の発明によれば、原稿２ページ分のサイズの用紙の片面に２ページ分の原稿画像を印刷し、ユーザが用紙を中心線で断裁し用紙を重ねた際に、全てのページにおいて綴じ代側に断裁辺のある用紙が得られ、用紙を揃えることが可能となる。
【発明を実施するための最良の形態】
【０００９】
本発明の画像形成装置とは、スキャナ、またはネットワークに接続した状態でホストコンピュータから取り込む画像データに対し、縮小、拡大、レイアウト等の画像処理を施す画像形成装置であり、例えば複写機、プリンタ、ＦＡＸ、複合機等が挙げられる。
【００１０】
以下では、本発明の複写機の一実施形態による画像形成装置を、図面を参照して説明する。図２は同実施形態の構成を示すブロック図である。１は画像形成装置の処理動作を統括して制御する制御部である。2はタッチパネル、ファンクションキー、テンキー、キーボード等から構成される入力部である。３は液晶ディスプレイ等から構成される表示部である。４は、画像形成装置を複写機として使用する場合に、複数枚の原稿を設置する原稿設置台と、複数枚の読取済み原稿を格納する読取済み原稿トレーを備え、現在原稿が設置されているかを検出する機能と、原稿設置台に設置した原稿を画像データとして読み出す機能を持つスキャナである。５は、スキャナ４で読み取りの終了した原稿を、原稿設置台から読取済み原稿トレーに搬送する、原稿搬送部である。６は、画像形成装置を複写機として利用する場合に、スキャナ４で読み取った画像データを記憶する画像メモリである。７は、印刷を行う対象となる複数枚の印刷用紙を格納しておく給紙トレーと、印刷の終了した複数枚の印刷用紙を格納しておく印刷済み用紙トレーとを備え、画像メモリ６に記憶されている画像データを給紙トレーに格納された印刷用紙に印刷する印刷処理部である。８は、画像形成装置を複写機として使用する場合に、印刷を行う対象となる印刷用紙を給紙トレーから印刷処理部７へ給紙し、また印刷の終了した印刷用紙を印刷処理部７から印刷済み用紙トレーに排紙する印刷用紙搬送部である。９は、画像メモリ６に格納された画像データに、縮小、拡大、レイアウト変更等の画像処理を施す画像処理部である。
【００１１】
次に、図３に示すフローチャートを参照して、図２に示す画像形成装置の動作を説明する。
まず使用者は、複数枚の原稿をスキャナ4の原稿設置台に設置し、原稿の複写開始の指示を入力部２から画像形成装置に入力する。この入力に基づいて画像形成装置の制御部１は、印刷した用紙の左右どちらに綴じ代を設けるかを問い合わせるための表示を、表示部３に表示させる（ステップS1）。
【００１２】
使用者は表示部３に表示された問い合わせに対する応答を応答データとして入力部２から入力する。画像形成装置の制御部１は、使用者からの応答データを記憶領域に一時保存し、スキャナ4に対して画像読み取りの指示を出す。また原稿枚数をカウントするための原稿カウンタを生成し、その初期値を０に設定する。制御部１からの指示に基づき、スキャナ4は原稿設置台に設置された1枚目の原稿を読み取り、入力された画像データを画像メモリ６に記憶させる。制御部1は、それぞれの入力画像データの画像メモリ６上のアドレスを格納可能な、空のポインタ配列Ａを生成し、画像メモリ６に記憶された1枚目の原稿の画像データの先頭アドレスを配列Ａ(0)にポイントさせ（ステップS2）、原稿カウンタに１を加算する（ステップS3）。次に制御部1は、原稿搬送部５に、読み取りの終了した1枚目の原稿をスキャナ4の読取済み原稿トレーに搬送させる。その後、スキャナ４に、次の原稿があるか判別させる（ステップS4）。次の原稿がある場合、画像形成装置は、ステップS2に移行して処理を繰り返し、以降、原稿設置台に設置された原稿が全て無くなるまで処理を繰り返す。最終的に配列Ａは、図４のように入力画像データのアドレスを入力された順に格納する。
【００１３】
その後制御部1は、記憶領域からステップS1で得た応答データを取り出し、これを画像処理の要求と共に画像処理部９へ送信する。画像処理部９は、送信された応答データが、印刷・断裁後の用紙において左右どちらに綴じ代を設ける指示か判別する（ステップS5）。
次に画像処理部９は、制御部1からの応答データが入力画像データの左に綴じ代を設ける指示である場合は、配列Aに格納されているアドレスを参照して入力画像データを読み出し、入力画像データの左側に綴じ代が出来るよう画像処理を行う（ステップS6a）。更に画像処理部9は、配列Aの奇数番目の要素に格納されているアドレスを参照し、奇数ページの入力画像データを読み出し、綴じ代を含んだ画像を、画像を印刷したときの用紙面を回転面として180度回転し、画像の上下を逆向きにする画像処理を行う（ステップS7a）。またこの時、制御部1からの応答データが入力画像データの右に綴じ代を設ける指示である場合は、配列Aに格納されているアドレスを参照して入力画像データを読み出し、入力画像データの右側に綴じ代が出来るよう画像処理を行う（ステップS6b）。更に画像処理部9は、配列Aの偶数番目の要素に格納されているアドレスを参照し、偶数ページの入力画像データを読み出し、綴じ代を含んだ画像を、画像を印刷したときの用紙面を回転面として180度回転し、画像の上下を逆向きにする画像処理を行う（ステップS7b）。
【００１４】
次に制御部1は印刷用紙搬送部８に対し、印刷用紙を給紙するよう指示する。また、印刷を行った枚数をカウントするための印刷カウンタを作成し、その初期値を０とする。印刷用紙搬送部８は、印刷用紙1枚を給紙トレーから印刷処理部７へ給紙し（ステップS8）、給紙終了を制御部1に通知する。これを受けて制御部１は、印刷処理部７に印刷の指示を出す。印刷処理部７は、配列Aの1番目と2番目の要素に格納されているアドレスを参照し、そのアドレスに格納されている２つの画像データを印刷用紙の同一の面に印刷し、処理が終了したことを制御部1に通知する。これを受けて制御部１は、印刷カウンタに２を加算し（ステップS9）、印刷カウンタと原稿カウンタの値を比較し（ステップS10）、印刷カウンタの値が原稿カウンタの値以上であれば処理を終了する。一方、印刷カウンタの値が原稿カウンタの値未満であった場合、制御部1は、ステップS8から処理を行う。以降、配列Aの全てのデータが印刷終了するまでステップS8〜S10の処理を繰り返す。
【００１５】
以上説明した実施形態における画像形成装置によって印刷された印刷状態について、図１に示す。ここでは符号１００に示す印刷用紙を、用紙の中心線（符合a）に従って断裁し、画像の向きが正しくなるように用紙（符合１０１、１０２）を重ねる。これにより重ねられた用紙の断裁されていない用紙辺が揃い、且つ用紙の断裁辺が全てのページにおいて綴じ代側となる
【００１６】
なお、上記の一実施形態では人が原稿用紙を原稿設置台に設置すると説明したが、画像形成装置をプリンタに使用し、装置をネットワーク上に設置し、使用者の端末から画像データを送信することも可能である。
【００１７】
以上、この発明の一実施形態を、図面を参照して詳述してきたが、具体的な構成はこの実施形態に限られるものではなく、この発明の要旨を逸脱しない範囲の設計等も含まれる。
【図面の簡単な説明】
【００１８】
【図１】本発明の一実施形態による、奇数ページの原稿画像を180度回転し、上下を逆向きにするよう画像処理を施した結果を示す平面図である。
【図２】本発明の一実施形態の構成を示す、ブロック図である。
【図３】同実施形態における、画像形成の動作を示す、フローチャートである。
【図４】同実施形態における、配列Aが画像データのアドレスを格納した状態を示す概略図である。
【図５】特許文献１を実施した際の、印刷結果例を示す平面図である。
【図６】特許文献２を実施した際の、印刷結果例を示す平面図である。
【図７】特許文献２を実施した際の、綴じ代配置の画像処理を加えた場合の、印刷結果例を示す平面図である。
【符号の説明】
【００１９】
１…制御部
２…入力部
３…表示部
４…スキャナ
５…原稿搬送部
６…画像メモリ
７…印刷処理部
８…印刷用紙搬送部
９…画像処理部
１００…印刷用紙
１０１…奇数ページ印刷用紙
１０２…偶数ページ印刷用紙
ａ…印刷用紙中心線
【図１】
2006068922.tif 000003
【図２】
2006068922.tif 000004
【図３】
2006068922.tif 000005
【図４】
2006068922.tif 000006
【図５】
2006068922.tif 000007
【図６】
2006068922.tif 000008
【図７】
2006068922.tif 000009